(57)【要約】【課題】発声障害を有する患者であっても、簡単な操作で自分の要求や意思を看護師に的確に伝えることができ、用件の伝達と確認にかかる患者および看護師の手間を軽減できるようにする。【解決手段】用件伝達型子機７が備える用件ボタン７ａの押下に応じて、押下された用件ボタン７ａを識別可能なボタン識別情報を含む呼出信号を中継器５に送信し、中継器５がこれを特定の一の呼出種別の呼出信号としてナースコール親機１に中継する。そして、ナースコール親機１にて行われる報知動作に対する応答操作によって通話路が形成された後、ボタン識別情報に応じた合成音声を中継器５からナースコール親機１に送信して出力することにより、患者が自分の要求や意思に応じた用件ボタン７ａを１回押下するだけで、対応する用件の合成音声をナースコール親機１から出力して患者の用件を看護師に的確に伝えることができるようにする。【選択図】図１
2020178263.tif 000002
【特許請求の範囲】
【請求項１】
ナースコール子機と、上記ナースコール子機からの呼び出しを受けて報知動作を行うナースコール親機と、上記ナースコール子機と上記ナースコール親機との間に設置される中継器とを備えたナースコールシステムであって、
上記ナースコール子機は、
複数の用件ボタンと、
上記用件ボタンの押下に応じて、押下された用件ボタンを識別可能なボタン識別情報を含む呼出信号を上記中継器に送信する呼出信号送信部とを備え、
上記中継器は、
上記呼出信号送信部により送信された呼出信号を受信し、特定の一の呼出種別の呼出信号として上記ナースコール親機に中継する呼出信号中継部と、
上記ナースコール親機との間に通話路が形成された後、上記ナースコール子機から受信した呼出信号に含まれる上記ボタン識別情報に応じた合成音声を、上記通話路を介して上記ナースコール親機に送信する合成音声送信部とを備え、
上記ナースコール親機は、
上記呼出信号中継部により中継された呼出信号の受信に応じて行われる上記報知動作に対する応答操作を検出したときに、通話路を形成する通話路形成部と、
上記通話路形成部により形成された通話路を介して上記中継器から送られてくる上記合成音声を受信する合成音声受信部と、
上記合成音声受信部により受信された合成音声を出力する合成音声出力部とを備えた
ことを特徴とするナースコールシステム。
【請求項２】
上記中継器は、一または複数の呼出種別に対応する呼出ボタンを備えた第２のナースコール子機を接続可能に構成され、
上記呼出信号中継部は、上記ナースコール子機から呼出信号を受信した場合は、当該呼出信号を、上記特定の一の呼出種別の呼出信号として上記ナースコール親機に中継する一方、上記第２のナースコール子機から呼出信号を受信した場合は、当該呼出信号を、押下された呼出ボタンに応じた呼出種別の呼出信号として上記ナースコール親機に中継することを特徴とする請求項１に記載のナースコールシステム。
【請求項３】
上記中継器は、
複数種類の合成音声に対応した複数の音声データと上記ボタン識別情報とを関連付けて記憶する音声データ記憶部と、
上記ナースコール子機から受信した呼出信号に含まれる上記ボタン識別情報に応じた音声データを上記音声データ記憶部から読み出して上記合成音声を生成する合成音声生成部と、
上記音声データ記憶部に記憶される上記音声データと上記ボタン識別情報との関連付けをユーザ操作に応じて変更することにより、上記用件ボタンに対する上記合成音声の割り付けを編集する割り付け編集部とを更に備えたことを特徴とする請求項１または２に記載のナースコールシステム。
【請求項４】
上記割り付け編集部は、ユーザ操作に応じて割り付け変更モードが設定された状態において、上記音声データ記憶部に記憶されている上記複数の音声データに基づいて複数の合成音声を順次生成してスピーカから出力するように制御し、上記ナースコール子機から上記呼出信号を受信したときに出力されていた合成音声に対応する音声データと、上記ナースコール子機から受信した呼出信号に含まれる上記ボタン識別情報とを関連付けて上記音声データ記憶部に記憶させることを特徴とする請求項３に記載のナースコールシステム。
【請求項５】
上記割り付け編集部は、ユーザ操作に応じて割り付け確認モードが設定された状態において、上記ナースコール子機から上記呼出信号を受信した場合、当該受信した呼出信号に含まれる上記ボタン識別情報に対応する音声データを上記音声データ記憶部から読み出して合成音声を生成し、スピーカから出力するように制御することを特徴とする請求項３または４に記載のナースコールシステム。
【請求項６】
上記中継器は、
複数種類の合成音声に対応した複数の音声データと上記ボタン識別情報とを関連付けて記憶する音声データ記憶部と、
上記ナースコール子機から受信した呼出信号に含まれる上記ボタン識別情報に応じた音声データを上記音声データ記憶部から読み出して上記合成音声を生成する合成音声生成部と、
ユーザ操作に応じて割り付け変更モードが設定された状態において、上記音声データ記憶部に記憶されている上記複数の音声データに基づいて複数の合成音声を順次生成して上記第２のナースコール子機が備えるスピーカから出力するように制御し、上記ナースコール子機から上記呼出信号を受信したときに出力されていた合成音声に対応する音声データと、上記ナースコール子機から受信した呼出信号に含まれる上記ボタン識別情報とを関連付けて上記音声データ記憶部に記憶させることにより、上記音声データ記憶部に記憶される上記音声データと上記ボタン識別情報との関連付けをユーザ操作に応じて変更し、これによって上記用件ボタンに対する上記合成音声の割り付けを編集する割り付け編集部とを更に備えたことを特徴とする請求項２に記載のナースコールシステム。
【請求項７】
上記割り付け編集部は、ユーザ操作に応じて割り付け確認モードが設定された状態において、上記ナースコール子機から上記呼出信号を受信した場合、当該受信した呼出信号に含まれる上記ボタン識別情報に対応する音声データを上記音声データ記憶部から読み出して合成音声を生成し、上記第２のナースコール子機が備えるスピーカから出力するように制御することを特徴とする請求項６に記載のナースコールシステム。
【請求項８】
上記ユーザ操作に応じて上記割り付け変更モードが設定されていない通常動作モードの状態において、上記合成音声を上記ナースコール親機に送信することによって当該合成音声を上記ナースコール親機のスピーカから出力させる一方、上記第２のナースコール子機のスピーカからは上記合成音声を出力させないようにし、
上記ユーザ操作に応じて上記割り付け変更モードが設定されている状態において、上記合成音声を上記第２のナースコール子機に送信することによって当該合成音声を上記第２のナースコール子機のスピーカから出力させる一方、上記ナースコール親機のスピーカからは上記合成音声を出力させないようにすることを特徴とする請求項６に記載のナースコールシステム。
【発明の詳細な説明】
【技術分野】
【０００１】
本発明は、ナースコールシステムに関し、特に、患者が所定の呼出操作によって看護師を呼び出すことができるように成されたナースコールシステムに用いて好適なものである。
【背景技術】
【０００２】
一般に、病院や介護施設などでは、ナースコールシステムが用いられている。ナースコールシステムは、病院の患者が医師や看護師のサポートを必要とする際、または介護施設の被介護者が介護師のサポートを必要とする際に、患者や被介護者（以下、単に「患者」と言う）が呼出ボタン等を押下することによって医師や看護師、介護師（以下、単に「看護師」と言う）を呼び出すことができるように成されたシステムである。
【０００３】
ナースコールシステムは、患者が看護師と通話をすることで患者の要求や意思を伝える手助けをするシステムである。しかしながら、発声障害を持つ患者の場合は、音声による通話ができないため、患者が自身の要求や意思を看護師に適切に伝え、看護師がそれを正確に理解することが困難である。そのため、患者と看護師の双方がストレスを感じたり、看護師が用件を聞きに病室まで行かなければならなくなって看護師の動線が増えてしまったりするという問題があった。
【０００４】
従来、このような問題を解決するためのナースコールシステムが提案されている（例えば、特許文献１参照）。特許文献１に記載のナースコールシステムでは、ナースコール子機からの呼び出しによってナースコール親機とナースコール子機との間に通話路が形成された後、通話による看護師からの質問に対して患者が複数の応答ボタンの中から何れかを選択して押下すると、押下された応答ボタンに対応する合成音声がナースコール親機に送信され、スピーカから出力される。これにより、話をすることができない患者でも、応答ボタンを利用することで看護師に対して要求や意思を簡単に伝達することが可能となる。
【先行技術文献】
【特許文献】
【０００５】
【特許文献１】特開２００８−２４４７９１号公報
【発明の概要】
【発明が解決しようとする課題】
【０００６】
しかしながら、上記特許文献１に記載のナースコールシステムでは、患者は、呼出ボタンの操作と、それによって通話路が形成された後における応答ボタンの操作との２回の操作を行う必要がある。また、看護師は、ナースコール子機からの呼び出しに応答した後、通話によって患者に対して質問をしなければ患者の要求や意思を理解することができない。そのため、患者および看護師の双方とも手間がかかるという問題があった。しかも、特許文献１に記載のナースコールシステムでは、患者は呼出ボタンを操作した後に通話路が形成されたかどうかを判断してから応答ボタンを操作しなければならないため、不便である。
【０００７】
本発明は、このような問題を解決するために成されたものであり、発声障害を有する患者であっても、看護師のサポートを必要とする際に、簡単なナースコール操作で自分の要求や意思を看護師に的確に伝えることができ、用件の伝達と確認にかかる患者および看護師の手間を軽減できるようにすることを目的とする。
【課題を解決するための手段】
【０００８】
上記した課題を解決するために、本発明のナースコールシステムでは、ナースコール子機が複数の用件ボタンを有し、何れかの用件ボタンの押下に応じて、押下された用件ボタンを識別可能なボタン識別情報を含む呼出信号をナースコール子機から中継器に送信し、中継器がこれを特定の一の呼出種別の呼出信号としてナースコール親機に中継する。そして、この呼出信号の受信に応じてナースコール親機にて行われる報知動作に対する応答操作によってナースコール親機と中継器との間に通話路が形成された後、中継器がナースコール子機から受信した呼出信号に含まれるボタン識別情報に応じた合成音声をナースコール親機に送信し、当該合成音声をナースコール親機にて出力するようにしている。
【発明の効果】
【０００９】
上記のように構成した本発明によれば、発声障害を有する患者が看護師のサポートを必要とする際に、自分の要求や意思に応じた用件ボタンを押下すれば、押下した用件ボタンに応じた合成音声がナースコール親機に送信されて出力されるので、患者は用件ボタンの押下のみで自分の要求や意思を看護師に的確に伝えることができる。このとき、患者は所望の用件ボタンを１回操作するだけでよく、通話路が形成されたかどうかを確認する必要もない。また、看護師は報知動作に応じて応答操作をするだけでよく、患者に対して通話による質問等をすることなく、患者の要求や意思を合成音声により確認することができる。これにより、本発明によれば、発声障害を有する患者であっても、看護師のサポートを必要とする際に、簡単なナースコール操作で自分の要求や意思を看護師に的確に伝えることができ、用件の伝達と確認にかかる患者および看護師の手間を軽減することができる。
【図面の簡単な説明】
【００１０】
【図１】第１および第２の実施形態によるナースコールシステムの全体構成例を示す図である。
【図２】第１および第２の実施形態による用件伝達型子機の外観構成例を示す図である。
【図３】第１の実施形態によるナースコールシステムの機能構成例を示すブロック図である。
【図４】第１の実施形態による音声データ記憶部が記憶する複数の音声データに対応する合成音声の内容およびボタン識別情報との関連付けを模式的に示す図である。
【図５】第１の実施形態によるナースコールシステムの動作例を示すフローチャートである。
【図６】第２の実施形態によるナースコールシステムの機能構成例を示すブロック図である。
【図７】第２の実施形態による音声データ記憶部が記憶する複数の音声データに対応する合成音声の内容およびボタン識別情報との関連付けを模式的に示す図である。
【図８】第２の実施形態による用件伝達型子機の外観構成例を示す図である。
【発明を実施するための形態】
【００１１】
（第１の実施形態）
以下、本発明の第１の実施形態を図面に基づいて説明する。図１は、第１の実施形態によるナースコールシステムの全体構成例を示す図である。なお、ここでは病院に設置されるナースコールシステムを例にとって説明するが、本実施形態のナースコールシステムは、病院に設置されるものに限定されない。例えば、介護施設等に設置される場合にも適用可能である。これは、後で説明する第２の実施形態も同様である。
【００１２】
図１に示すように、本実施形態のナースコールシステムは、ナースコール親機１、制御機２、廊下灯３、壁埋込形子機４、中継器５、ハンド形子機６（特許請求の範囲における第２のナースコール子機に相当）および用件伝達型子機７（特許請求の範囲におけるナースコール子機に相当）を備えて構成されている。ナースコール親機１は、ナースステーションに設置されるものであってもよいし、個々の看護師が携行する携帯型のナースコール親機であってもよい。壁埋込形子機４、中継器５、ハンド形子機６および用件伝達型子機７は、患者の病室内に設置される。
【００１３】
ナースコール親機１は、患者（ハンド形子機６または用件伝達型子機７）からの呼び出しに対する応答の操作を行い、看護師が患者と通話を行うためのものである。ナースコール親機１は、患者からの呼び出しを受けたとき、所定の報知動作を行う。報知動作は、ナースコール親機１が備えるスピーカから呼出音を出力するとともに、ナースコール親機１が備えるディスプレイに対して呼び出しに係る患者および呼出種別などの情報を表示させることによって行われる。
【００１４】
この報知動作の実行中に、看護師がオフフック等の応答操作を行うと、ナースコール親機１は上述の報知動作を停止するとともに通話路を形成する。詳細は後述するが、ハンド形子機６からの呼び出しに対して応答操作が行われた場合、ナースコール親機１はハンド形子機６との間に通話路を形成し、患者と通話を行うことができる状態とする。また、用件伝達型子機７からの呼び出しに対して応答操作が行われた場合、ナースコール親機１は中継器５との間に通話路を形成し、中継器５から送られてくる合成音声を受信してスピーカから出力する。
【００１５】
制御機２は、ナースコール親機１と廊下灯３との間に配置され、通話やデータの送受信に関する制御を行う。送受信されるデータには、ハンド形子機６または用件伝達型子機７からナースコール親機１に送られる呼出信号、ナースコール親機１から用件伝達型子機７に送られる応答通知信号、中継器５からナースコール親機１に送られる合成音声の音声信号などが含まれる。
【００１６】
廊下灯３は、病院の各病室の入口付近外部に設置される。この廊下灯３は、表示装置を備え、病室内の患者名が表示されるとともに、病室内の患者がハンド形子機６または用件伝達型子機７を用いて看護師の呼び出しを行うと、呼び出しが行われたことが表示されるようになっている。なお、呼び出しが行われたことの表示は、ＬＥＤの点灯または点滅により行うようにしてよい。ＬＥＤは、所定の復旧操作が行われたときに消灯する。
【００１７】
廊下灯３は、ハンド形子機６または用件伝達型子機７から中継器５を介して送信された呼出信号を、制御機２を介してナースコール親機１に送信する。また、廊下灯３は、ナースコール親機１から制御機２を介して送信された応答通知信号を、壁埋込形子機４および中継器５を介して用件伝達型子機７に送信する。また、廊下灯３は、ナースコール親機１での応答操作により形成された通話路を介して中継器５から送信された音声信号（ハンド形子機６のマイクから入力された患者の通話音声、または中継器５にて生成された用件伝達のための合成音声に関するもの）を、制御機２を介してナースコール親機１に送信するとともに、ナースコール親機１から制御機２を介して送られてきた看護師の通話音声に係る音声信号を、壁埋込形子機４および中継器５を介してハンド形子機６に送信する。
【００１８】
壁埋込形子機４は、病室の各ベッドサイドの壁に埋め込み設置される。この壁埋込形子機４は、廊下灯３に接続されている。壁埋込形子機４は、中継器５またはハンド形子機６を接続するための接続端子を備えている。ハンド形子機６を壁埋込形子機４に直接接続することも可能であるが、本実施形態では、壁埋込形子機４に中継器５を接続し、その中継器５にハンド形子機６を接続している。壁埋込形子機４は、廊下灯３と中継器５との間で上述した呼出信号、応答通知信号および音声信号を送受信する。なお、壁埋込形子機４は、患者が看護師を呼び出すための呼出ボタン、患者が看護師と会話を行う際に使用するマイクおよびスピーカを備えてもよい。
【００１９】
ハンド形子機６は、壁埋込形子機４または中継器５に接続され、患者のベッドサイドに設置される。上述のように、ハンド形子機６は壁埋込形子機４に直接接続することも可能であるが、本実施形態では、壁埋込形子機４に接続した中継器５に対してハンド形子機６を接続するようにしている。ハンド形子機６は、患者が看護師を呼び出すための呼出ボタン６ａ、患者が看護師と会話を行う際に使用するマイク（図示せず）およびスピーカ６ｂを備えている。
【００２０】
ハンド形子機６は、一または複数の呼出種別に対応する呼出ボタン６ａを備えており、患者が何れかの呼出ボタン６ａを操作すると、操作された呼出ボタン６ａに対応する呼出種別の呼出信号が中継器５、壁埋込形子機４、廊下灯３および制御機２を介してナースコール親機１に送信されるようになっている。呼出種別は、例えば、一般呼出、緊急呼出、特定呼出（トイレまたは点滴）などである。
【００２１】
用件伝達型子機７は、中継器５に無線で接続され、患者のベッドサイドに設置される。例えば、用件伝達型子機７は、Ｂｌｕｅｔｏｏｔｈ（登録商標）の無線通信手段を用いて中継器５に接続される。用件伝達型子機７と中継器５とは１対１で無線通信を行う。無線通信をするに当たり、中継器５は用件伝達型子機７とのペアリング登録を行う。ペアリング登録に関する処理を行う機能は中継器５が備えている。例えば、中継器５が備える設定スイッチ５ａを長押しすることによってペアリング待機状態とした後、ペアリングする用件伝達型子機７において所定の操作をすることによって用件伝達型子機７の識別情報を中継器５に無線送信し、この識別情報を中継器５に記憶することにより、ペアリング登録を行う。
【００２２】
用件伝達型子機７は、患者が看護師を呼び出すための複数の用件ボタン７ａを備えており、患者が何れかの用件ボタン７ａを操作すると、操作された用件ボタン７ａを識別可能なボタン識別情報を含む呼出信号が中継器５に送信されるようになっている。用件伝達型子機７は、バッテリを内蔵し、当該バッテリからの電源を得て動作する。本実施形態では、ペアリング登録の機能や、後述する音声合成の機能を中継器５が備えることにより、用件伝達型子機７のバッテリの消耗を抑制するようにしている。
【００２３】
中継器５は、用件伝達型子機７とナースコール親機１との間（具体的には、用件伝達型子機７と壁埋込形子機４との間）に設置される。中継器５は、一般電源のコンセントに接続され、当該コンセントから電源を得て動作する。中継器５は、壁埋込形子機４とハンド形子機６および用件伝達型子機７と間で上述した呼出信号、応答通知信号および音声信号を送受信する。音声信号に関して、中継器５は、用件伝達型子機７から受信した呼出信号に含まれるボタン識別情報に対応する合成音声を生成し、生成した合成音声の音声信号を、壁埋込形子機４、廊下灯３および制御機２を介してナースコール親機１に送信する。この動作の詳細については後述する。
【００２４】
図２は、用件伝達型子機７の外観構成例を示す図である。図２に示すように、用件伝達型子機７は、複数の用件ボタン７ａを備えている。本実施形態では、８個の用件ボタン７ａが筐体の正面の両サイドに４個ずつ並べて配置されている。１つ１つの用件ボタン７ａには、患者が看護師に伝達する用件の内容を端的に表した文言が記されている。図２の例では、「トイレ」、「苦しい」、「くすり」、「経管栄養」、「痛い」、「痰を取って」、「点滴」、「用事」の各文言が８個の用件ボタン７ａにそれぞれ記されている。
【００２５】
これらの用件ボタン７ａは、透光性を有する樹脂材料またはガラス材料などにより構成されており、その裏側（筐体の内側）にはＬＥＤが設置されている。用件ボタン７ａは、押下によって操作することができるようになされており、患者が何れかの用件ボタン７ａを押下すると、押下された用件ボタン７ａに対応するＬＥＤが点灯するとともに、押下された用件ボタン７ａを識別可能なボタン識別情報を含む呼出信号が中継器５に送信される。
【００２６】
上述した通り、用件ボタン７ａは透光性を有する材料により構成されているため、裏側のＬＥＤが点灯すると、押下された用件ボタン７ａが光って見え、どの用件ボタン７ａを押下したのかが一目で分かるようになっている。すなわち、押下された用件ボタン７ａに対応するＬＥＤが点灯することにより、当該押下された用件ボタン７ａに対応する用件の内容（用件ボタン７ａに記された文言の内容）が識別可能に表示された状態となる。以下の説明において、用件ボタン７ａの裏側に配置されたＬＥＤが点灯または消灯することを、便宜的に「用件ボタン７ａが点灯または消灯する」という。
【００２７】
用件伝達型子機７は、照明スイッチ７ｂを備えている。照明スイッチ７ｂも押下によって操作することができるようになされており、患者が照明スイッチ７ｂを押下すると、全ての用件ボタン７ａが点灯する。例えば、夜間において病室の照明が消灯された後、用件ボタン７ａに記された用件の文言が見えないときに照明スイッチ７ｂを押下することにより、全ての用件ボタン７ａを光らせて、文言の内容を確認することができるようにしている。なお、用件伝達型子機７が備える表示制御部（後述する）は、ＬＥＤを２段階の輝度で点灯させる調整機能を有しており、照明スイッチ７ｂが押下された場合は、全ての用件ボタン７ａを低輝度で点灯させる。また、何れかの用件ボタン７ａが押下された場合は、表示制御部はその押下された用件ボタン７ａを高輝度で点灯させる。
【００２８】
用件伝達型子機７は、応答表示ランプ７ｃを備えている。この応答表示ランプ７ｃは、用件ボタン７ａの押下により行われた呼び出しに対して看護師が応答したことを知らせるためのランプである。この応答表示ランプ７ｃも、透光性を有する材料の裏側にＬＥＤを配置した構成となっている。看護師がナースコール親機１にて応答操作を行うと、応答通知信号がナースコール親機１から用件伝達型子機７に送信される。そして、用件伝達型子機７がこの応答通知信号を受信すると、応答表示ランプ７ｃが点灯する。これにより、患者は、何れかの用件ボタン７ａを押下することによって行った呼び出しに対して看護師が応答したか否かを確認することができる。
【００２９】
用件伝達型子機７は、看護師が操作するための復旧ボタン７ｄを備えている。復旧ボタン７ｄは、これを患者が誤って操作してしまうことを抑制するために、患者が操作する用件ボタン７ａおよび照明スイッチ７ｂが配置された筐体の正面とは異なる上面に配置されている。この復旧ボタン７ｄは、患者により押下された用件ボタン７ａを消灯させて復旧状態とするためのボタンである。すなわち、ナースコール親機１にて応答操作を行った看護師が病室に到着したときにこの復旧ボタン７ｄを押下することにより、患者により押下された用件ボタン７ａが点灯した状態を解除して、用件伝達型子機７を復旧状態に戻すことが可能である。
【００３０】
図３は、第１の実施形態によるナースコールシステムの機能構成例を示すブロック図である。ここでは、ナースコール親機１、中継器５および用件伝達型子機７の機能構成例を示している。
【００３１】
図３に示すように、第１の実施形態によるナースコール親機１は、機能構成として、呼出信号受信部１０１、報知処理部１０２、応答操作検出部１０３、通話路形成部１０４、合成音声受信部１０５および合成音声出力部１０６を備えている。また、ナースコール親機１は、ハードウェア構成として、スピーカ１１１およびディスプレイ１１２を備えている。
【００３２】
第１の実施形態による中継器５は、機能構成として、呼出信号中継部５０１、応答通知中継部５０２、通話路関連処理部５０３、合成音声生成部５０４および合成音声送信部５０５を備えている。また、中継器５は、記憶媒体として、音声データ記憶部５１１を備えている。第１の実施形態による用件伝達型子機７は、機能構成として、押下検出部７０１、呼出信号送信部７０２、表示制御部７０３および応答通知受信部７０４を備えている。
【００３３】
上記ナースコール親機１、中継器５および用件伝達型子機７が備える各機能ブロックは、それぞれハードウェア、ＤＳＰ（Digital Signal Processor）、ソフトウェアの何れによっても構成することが可能である。例えばソフトウェアによって構成する場合、上記各機能ブロックは、実際にはコンピュータのＣＰＵ、ＲＡＭ、ＲＯＭなどを備えて構成され、ＲＡＭやＲＯＭに記憶されたプログラムが動作することによって実現される。なお、当該プログラムは、ハードディスクや半導体メモリ等の他の記憶媒体に記憶されていてもよい。
【００３４】
用件伝達型子機７の押下検出部７０１は、患者による用件ボタン７ａ、照明スイッチ７ｂの押下を検出する。また、押下検出部７０１は、看護師による復旧ボタン７ｄの押下を検出する。押下検出部７０１は、患者による用件ボタン７ａの押下を検出した場合、その旨を呼出信号送信部７０２および表示制御部７０３に通知する。押下検出部７０１は、患者による照明スイッチ７ｂの押下または看護師による復旧ボタン７ｄの押下を検出した場合、その旨を表示制御部７０３に通知する。
【００３５】
呼出信号送信部７０２は、用件ボタン７ａの押下に応じて、押下された用件ボタン７ａを識別可能なボタン識別情報を含む呼出信号を中継器５に送信する。なお、各用件ボタン７ａに対応するボタン識別情報は、用件伝達型子機７の図示しない記憶媒体にあらかじめ記憶されている。
【００３６】
表示制御部７０３は、用件ボタン７ａおよび応答表示ランプ７ｃの表示を制御する。すなわち、表示制御部７０３は、照明スイッチ７ｂの押下が押下検出部７０１により検出された場合は、全ての用件ボタン７ａを低輝度で点灯させる。例えば、表示制御部７０３は、照明スイッチ７ｂが押下されたときから一定時間だけ全ての用件ボタン７ａを低輝度で点灯させた後、全ての用件ボタン７ａを消灯させる。あるいは、表示制御部７０３は、照明スイッチ７ｂの押下に応じて全ての用件ボタン７ａを点灯させた後、照明スイッチ７ｂが再び押下された時点で全ての用件ボタン７ａを消灯させるようにしてもよいし、何れかの用件ボタン７ａが押下された時点で、当該押下された用件ボタン７ａ以外の用件ボタン７ａを消灯させるようにしてもよい。
【００３７】
また、表示制御部７０３は、何れかの用件ボタン７ａの押下が押下検出部７０１によりされた場合は、その押下された用件ボタン７ａを高輝度で点灯させる。また、表示制御部７０３は、復旧ボタン７ｄの押下が押下検出部７０１により検出された場合は、点灯中の用件ボタン７ａを消灯させる。また、表示制御部７０３は、ナースコール親機１から送られてくる応答通知信号を応答通知受信部７０４が受信した場合に、応答表示ランプ７ｃを点灯させる。
【００３８】
応答通知受信部７０４は、上述の通り、ナースコール親機１から中継器５を介して送られてくる応答通知信号を受信し、その旨を表示制御部７０３に通知する。応答通知受信部７０４が受信する応答通知信号は、用件ボタン７ａの押下によって看護師の呼び出しが行われた後、看護師がナースコール親機１にて応答操作をすることによって発生する信号である。
【００３９】
中継器５の呼出信号中継部５０１は、ハンド形子機６の呼出ボタン６ａの押下に応じてハンド形子機６から送信された呼出信号を受信し、押下された呼出ボタン６ａに対応する呼出種別の呼出信号としてナースコール親機１に中継する。上述したように、ハンド形子機６が送信し得る呼出信号の呼出種別には、一般呼出、緊急呼出、特定呼出（トイレまたは点滴）がある。
【００４０】
また、呼出信号中継部５０１は、用件伝達型子機７の呼出信号送信部７０２により送信された呼出信号を受信した場合、その呼出信号に含まれるボタン識別情報を合成音声生成部５０４に通知するとともに、その呼出信号を特定の一の呼出種別の呼出信号（ボタン識別情報は含まない）としてナースコール親機１に中継する。呼出信号中継部５０１は、用件伝達型子機７から呼出信号を受信した場合、その呼出信号に含まれるボタン識別情報の内容によらず（すなわち、どの用件ボタン７ａが押下されたかによらず）、複数の呼出種別の中の特定の一の呼出種別（例えば、一般呼出）の呼出信号としてナースコール親機１に中継する。
【００４１】
すなわち、図２に示した「トイレ」、「点滴」の用件ボタン７ａは、一般的には特殊呼出という呼出種別が割り当てられるものであり、「苦しい」、「痛い」などの用件ボタン７ａは、一般的には緊急呼出という呼出種別が割り当てられる可能性のあるものであるが、これらの用件ボタン７ａが押下された場合も、呼出信号中継部５０１は一般呼出の呼出信号をナースコール親機１に送信する。
【００４２】
以上のように、呼出信号中継部５０１は、ハンド形子機６から呼出信号を受信した場合は、当該呼出信号を、押下された呼出ボタン６ａに応じた呼出種別の呼出信号としてナースコール親機１に中継する。一方、呼出信号中継部５０１は、用件伝達型子機７から呼出信号を受信した場合は、当該呼出信号を、特定の一の呼出種別の呼出信号としてナースコール親機に中継する。このように本実施形態では、ナースコールシステムに用意された呼出種別の１つを利用して、合成音声によって患者の用件を看護師に伝達する際の呼出信号をナースコール親機１に送信することができるようにしている。
【００４３】
応答通知中継部５０２は、ナースコール親機１から送られてくる応答通知信号を受信し、用件伝達型子機７に中継する。通話路関連処理部５０３は、ナースコール親機１との間で通話路の形成に関する処理を行う。通話路の形成に関する処理とは、ナースコール親機１の通話路形成部１０４と協働して通話路を形成するための処理であり、例えば通話路形成部１０４からの要求に応じて、当該要求に応じた処理を実行する。
【００４４】
ハンド形子機６からの呼び出しに対してナースコール親機１にて応答操作が行われた場合、通話路関連処理部５０３は、ナースコール親機１の通話路形成部１０４と協働して、ナースコール親機１とハンド形子機６との間に通話路を形成するために必要な処理を行う。この場合の処理のために、ハンド形子機６も通話路関連処理部を備えているが、図示を省略している。また、用件伝達型子機７からの呼び出しに対してナースコール親機１にて応答操作が行われた場合、通話路関連処理部５０３は、ナースコール親機１の通話路形成部１０４と協働して、ナースコール親機１と中継器５との間に通話路を形成するために必要な処理を行う。ナースコール親機１と中継器５との間に通話路が形成された場合、通話路関連処理部５０３はその旨を合成音声生成部５０４に通知する。
【００４５】
合成音声生成部５０４は、ナースコール親機１と中継器５との間に通話路が形成された場合、呼出信号中継部５０１が用件伝達型子機７から受信した呼出信号に含まれるボタン識別情報に応じた音声データを音声データ記憶部５１１から読み出して合成音声を生成する。音声データ記憶部５１１は、複数種類の合成音声に対応した複数の音声データとボタン識別情報とを関連付けて記憶している。複数種類の合成音声は、患者が看護師に伝える用件の内容を示したものである。
【００４６】
図４は、第１の実施形態による音声データ記憶部５１１が記憶する複数の音声データに対応する合成音声の内容およびボタン識別情報との関連付けを模式的に示す図である。図４に示す８個の合成音声は、図２に示した８個の用件ボタン７ａに対応したものである。すなわち、「トイレ」、「苦しい」、「くすり」、「経管栄養」、「痛い」、「痰を取って」、「点滴」、「用事」の各文言が記された８個の用件ボタン７ａのボタン識別情報「００１」〜「００８」と関連付けて、図４に示す８個の合成音声を生成するための音声データが音声データ記憶部５１１に記憶されている。例えば、用件伝達型子機７の筐体において最も左上に配置された１番目の用件ボタン７ａに対応するボタン識別情報「００１」と関連付けて、「トイレに行きたいです。」という合成音声の音声データが記憶されている。また、用件伝達型子機７の筐体において最も右下に配置された８番目の用件ボタン７ａに対応するボタン識別情報「００８」と関連付けて、「用事があります。」という合成音声の音声データが記憶されている。
【００４７】
合成音声送信部５０５は、ナースコール親機１と中継器５との間に通話路が形成された後、呼出信号中継部５０１が用件伝達型子機７から受信した呼出信号に含まれるボタン識別情報に応じた合成音声（合成音声生成部５０４により生成された合成音声）を、通話路を介してナースコール親機１に送信する。上述したように、用件伝達型子機７からの呼出信号に応じてナースコール親機１と中継器５との間に通話路が形成された場合、合成音声生成部５０４は、当該呼出信号に含まれるボタン識別情報に応じた音声データを音声データ記憶部５１１から読み出して合成音声を生成する。合成音声送信部５０５は、合成音声生成部５０４により生成された合成音声の音声信号をナースコール親機１に送信する。なお、以下の説明において「合成音声を送信する」ということがあるが、これは「合成音声の音声信号を送信する」と同義である。
【００４８】
このように、本実施形態では、ナースコールシステムに用意された限られた数の呼出種別を用いて、呼出種別の数よりも多い種類の用件を看護師に伝達するための合成音声をナースコール親機１に送信することができるようにしている。本実施形態では、例えば一般呼出という１つの呼出種別を用いて、８種類の用件の合成音声をナースコール親機１に送信することが可能である。
【００４９】
ナースコール親機１の呼出信号受信部１０１は、中継器５の呼出信号中継部５０１により中継されたハンド形子機６からの呼出信号および用件伝達型子機７からの呼出信号を受信する。報知処理部１０２は、呼出信号受信部１０１による呼出信号の受信に応じて所定の報知動作を行い、応答操作検出部１０３により検出される所定の応答操作に応じて報知動作を停止する。すなわち、報知処理部１０２は、呼出信号受信部１０１が呼出信号を受信した場合、スピーカ１１１から呼出音を出力するとともに、ディスプレイ１１２に対して呼び出しに係る患者および呼出種別などの情報を表示させるといった報知動作を実行する。その後、応答操作検出部１０３がオフフック等の応答操作を検出すると、報知処理部１０２は上述の報知動作を停止するとともに、応答通知信号を中継器５に送信する。
【００５０】
通話路形成部１０４は、呼出信号の受信に応じて行われる報知動作に対する応答操作を押下検出部７０１が検出したときに、中継器５またはハンド形子機６との間に通話路を形成する。すなわち、ハンド形子機６からの呼出信号に応じて行われる報知動作に対する応答操作を押下検出部７０１が検出した場合、通話路形成部１０４は、ハンド形子機６との間に通話路を形成する処理を行う。また、用件伝達型子機７からの呼出信号に応じて行われる報知動作に対する応答操作を押下検出部７０１が検出した場合、通話路形成部１０４は、中継器５との間に通話路を形成する処理を行う。
【００５１】
合成音声受信部１０５は、通話路形成部１０４により形成された通話路を介して中継器５から送られてくる合成音声の音声信号を受信する。合成音声出力部１０６は、合成音声受信部１０５により受信された合成音声の音声信号に基づいて、用件の合成音声をスピーカ１１１から出力する。看護師は、スピーカ１１１から出力される合成音声を聞くことにより、患者との間で通話を行うことなく、患者が伝えてきている用件を把握することができる。
【００５２】
図５は、以上のように構成した第１の実施形態によるナースコールシステムの動作例を示すフローチャートである。図５のフローチャートは、患者が何れかの用件ボタン７ａを押下したときに実行される合成音声の出力処理に関する動作例を示しており、その他の処理に関する動作は省略している。なお、図５に示すフローチャートにおいて、制御機２、廊下灯３および壁埋込形子機４の動作については説明を省略している。
【００５３】
まず、患者により何れかの用件ボタン７ａが押下されたことを押下検出部７０１が検出すると（ステップＳ１）、呼出信号送信部７０２は、押下された用件ボタン７ａを識別可能なボタン識別情報を含む呼出信号を中継器５に送信する（ステップＳ２）。中継器５の呼出信号中継部５０１は、呼出信号送信部７０２により送信された呼出信号を受信し、特定の一の呼出種別の呼出信号としてナースコール親機１に中継する（ステップＳ３）。
【００５４】
ナースコール親機１の呼出信号受信部１０１は、用件伝達型子機７から中継器５、壁埋込形子機４、廊下灯３および制御機２を介して送られてきた呼出信号を受信する（ステップＳ４）。報知処理部１０２は、呼出信号受信部１０１による呼出信号の受信に応じて所定の報知動作を行う（ステップＳ５）。この報知動作の最中、応答操作検出部１０３は、看護師による応答操作が行われたか否かを監視する（ステップＳ６）。
【００５５】
看護師による応答操作が応答操作検出部１０３により検出された場合、報知処理部１０２は、報知動作を停止する（ステップＳ７）。また、通話路形成部１０４は、中継器５との間に通話路を形成する（ステップＳ８）。ナースコール親機１と中継器５との間の通話路が形成されると、中継器５の合成音声生成部５０４は、ステップＳ３で呼出信号中継部５０１が用件伝達型子機７から受信した呼出信号に含まれるボタン識別情報に応じた音声データを音声データ記憶部５１１から読み出して合成音声を生成する（ステップＳ９）。
【００５６】
次いで、合成音声送信部５０５は、合成音声生成部５０４により生成された合成音声の音声信号をナースコール親機１に送信する（ステップＳ１０）。ナースコール親機１では、中継器５から送信された合成音声の音声信号を合成音声受信部１０５により受信し（ステップＳ１１）、合成音声出力部１０６がその合成音声の音声信号に基づいて合成音声をスピーカ１１１から出力する（ステップＳ１２）。以上により、図５に示すフローチャートの処理が終了する。
【００５７】
以上詳しく説明したように、第１の実施形態によるナースコールシステムでは、用件伝達型子機７が備える用件ボタン７ａの押下に応じて、押下された用件ボタン７ａを識別可能なボタン識別情報を含む呼出信号を用件伝達型子機７から中継器５に送信し、中継器５が呼出信号をナースコール親機１に中継する。そして、この呼出信号の受信に応じてナースコール親機１にて行われる報知動作に対する応答操作によってナースコール親機１と中継器５との間に通話路が形成された後、中継器５が用件伝達型子機７から受信した呼出信号に含まれるボタン識別情報に応じた合成音声をナースコール親機１に送信し、当該合成音声をナースコール親機１にて出力するようにしている。
【００５８】
このように構成した第１の実施形態によれば、発声障害を有する患者が看護師のサポートを必要とする際に、自分の要求や意思に応じた用件ボタン７ａを押下すれば、押下した用件ボタン７ａに応じた合成音声がナースコール親機１に送信されて出力されるので、患者は用件ボタン７ａの押下のみで自分の要求や意思を看護師に的確に伝えることができる。このとき、患者は所望の用件ボタン７ａを１回操作するだけでよく、通話路が形成されたかどうかを確認する必要もない。また、看護師は報知動作に応じて応答操作をするだけでよく、患者に対して通話による質問等をすることなく、患者の要求や意思を合成音声により確認することができる。これにより、第１の実施形態によれば、発声障害を有する患者であっても、看護師のサポートを必要とする際に、簡単なナースコール操作で自分の要求や意思を看護師に的確に伝えることができ、用件の伝達と確認にかかる患者および看護師の手間を軽減することができる。
【００５９】
また、第１の実施形態によるナースコールシステムでは、用件伝達型子機７から中継器５に送信された呼出信号を、中継器５がこれを特定の一の呼出種別（例えば、一般呼出）の呼出信号としてナースコール親機１に中継するようにしている。このため、中継器５やナースコール親機１では、呼出種別を判別して必要な処理をするといった煩雑な処理を行う必要がないというメリットを有する。どの用件ボタン７ａが押下された場合でも区別なく一般呼出として呼出信号を送信することとしても、看護師がナースコール親機１にて応答操作をすると直ちに用件の合成音声が出力されるので、看護師はその合成音声の内容から、特殊呼出に相当する内容（「トイレ」、「点滴」など）なのか、緊急呼出に相当する内容（「苦しい」、「痛い」など）なのかを直ちに判断することが可能である。
【００６０】
（第２の実施形態）
次に、本発明の第２の実施形態を図面に基づいて説明する。第２の実施形態によるナースコールシステムの全体構成は、図１と同様である。図６は、第２の実施形態によるナースコールシステムの機能構成例を示すブロック図である。なお、この図６において、図３に示した符号と同一の符号を付したものは同一の機能を有するものであるので、ここでは重複する説明を省略する。第２の実施形態は、用件伝達型子機７の用件ボタン７ａに対する合成音声の割り付けを任意に設定できるようにしたものである。
【００６１】
図６に示すように、第２の実施形態による中継器５’は、呼出信号中継部５０１、合成音声生成部５０４、合成音声送信部５０５および音声データ記憶部５１１に代えて、呼出信号中継部５０１’、合成音声生成部５０４’、合成音声送信部５０５’および音声データ記憶部５１１’を備えるとともに、操作受付部５０６、モード設定部５０７、割り付け編集部５０８を更に備えている。中継器５’は、第１の実施形態で説明したペアリング登録機能および音声合成機能に加え、合成音声の割り付け編集機能も備えることにより、用件伝達型子機７のバッテリの消耗を抑制するようにしている。
【００６２】
また、第２の実施形態によるハンド形子機６’は、機能構成として、合成音声受信部６０１および合成音声出力部６０２を備えている。後述するように、ハンド形子機６’が備えるスピーカ６ｂは、用件伝達型子機７の用件ボタン７ａに対する合成音声の割り付けを確認したり変更したりする際にも使用され、中継器５’にて生成された合成音声が出力される。
【００６３】
中継器５’の音声データ記憶部５１１’は、用件伝達型子機７が備える用件ボタン７ａの数よりも多い複数種類の合成音声に対応した複数の音声データを記憶するとともに、当該複数の音声データの中の何れかと用件ボタン７ａのボタン識別情報とを関連付けて記憶している。図７は、音声データ記憶部５１１’が記憶する複数の音声データに対応する合成音声の内容およびボタン識別情報との関連付けを模式的に示す図である。
【００６４】
図７では、８個の用件ボタン７ａよりも多い１６個の合成音声の一例を示している。音声データ記憶部５１１’は、これら１６個の合成音声に対応する音声データを記憶している。また、図７では、８個のボタン識別情報「００１」〜「００８」がどの合成音声に関連付けられているかも示している。例えば、用件伝達型子機７の筐体において最も左上に配置された１番目の用件ボタン７ａに対応するボタン識別情報「００１」が、「トイレに行きたいです。」という合成音声の音声データに関連付けられている。また、用件伝達型子機７の筐体において最も右下に配置された８番目の用件ボタン７ａに対応するボタン識別情報「００８」が、「眠れないです。」という合成音声の音声データに関連付けられている。
【００６５】
中継器５’の操作受付部５０６は、設定スイッチ５ａの操作を受け付け、どのような操作が行われたかを検出する。設定スイッチ５ａは、用件伝達型子機７のペアリング登録を行う際の他、用件伝達型子機７の用件ボタン７ａに対して現在設定されている合成音声の割り付けを確認する際や、用件伝達型子機７の用件ボタン７ａに対する合成音声の割り付けの設定を変更する際にも使用され、これらの目的に応じて設定スイッチ５ａの操作方法が異なる。
【００６６】
モード設定部５０７は、操作受付部５０６が受け付けた設定スイッチ５ａの操作内容に応じて、異なるモードを設定する。異なるモードとは、ペアリング登録モード、割り付け確認モード、割り付け変更モードである。上述したように、モード設定部５０７は、設定スイッチ５ａの長押しが操作受付部５０６により検出された場合、ペアリング登録モードを設定する。また、モード設定部５０７は、設定スイッチ５ａの短押しが操作受付部５０６により検出された場合、割り付け確認モードを設定する。また、モード設定部５０７は、設定スイッチ５ａの短押しの後の長押しが操作受付部５０６により検出された場合、割り付け変更モードを設定する。これらのペアリング登録モード、割り付け確認モード、割り付け変更モードの何れも設定されていない状態は通常動作モードである。
【００６７】
割り付け編集部５０８は、割り付け確認モードおよび割り付け変更モードの設定時における処理を実行する。すなわち、割り付け編集部５０８は、モード設定部５０７により割り付け確認モードが設定された状態において、合成音声生成部５０４’および合成音声送信部５０５’を制御して、合成音声をハンド形子機６’に送信してスピーカ６ｂから出力させる。また、割り付け編集部５０８は、モード設定部５０７により割り付け変更モードが設定された状態において、音声データ記憶部５１１に記憶される音声データとボタン識別情報との関連付けをユーザ操作に応じて変更する。この変更処理の際にも、割り付け編集部５０８は、合成音声生成部５０４’および合成音声送信部５０５’を制御して、合成音声をハンド形子機６’に送信してスピーカ６ｂから出力させる。以下に、割り付け確認モードおよび割り付け変更モードの設定時における動作を説明する。
【００６８】
＜割り付け確認モード＞
まず、看護師が設定スイッチ５ａを短押しすると、その操作内容が操作受付部５０６により検出され、モード設定部５０７により割り付け確認モードが設定される。このようにユーザ操作に応じて割り付け確認モードが設定された状態において、看護師が合成音声を確認したい用件ボタン７ａを押下する。この押下を押下検出部７０１が検出すると、呼出信号送信部７０２は、押下された用件ボタン７ａを識別可能なボタン識別情報を含む呼出信号を中継器５’に送信する。
【００６９】
この呼出信号を中継器５’の呼出信号中継部５０１’が受信すると、呼出信号中継部５０１’は、受信した呼出信号に含まれるボタン識別情報を割り付け編集部５０８に通知する。この通知を受けて割り付け編集部５０８は、合成音声生成部５０４’および合成音声送信部５０５’を制御して、呼出信号中継部５０１’から通知されたボタン識別情報に対応する音声データを音声データ記憶部５１１’から読み出して合成音声を生成し、生成した合成音声の音声信号をハンド形子機６’に送信する。
【００７０】
ハンド形子機６’の合成音声受信部６０１は、中継器５’から送信された合成音声の音声信号を受信する。合成音声出力部６０２は、合成音声受信部６０１により受信された合成音声の音声信号に基づいて、合成音声をスピーカ６ｂから出力する。看護師は、スピーカ６ｂから出力される合成音声を聞くことにより、押下した用件ボタン７ａに割り付けられている合成音声の内容を確認することができる。
【００７１】
＜割り付け変更モード＞
まず、看護師が設定スイッチ５ａを短押した後に長押しをすると、その操作内容が操作受付部５０６により検出され、モード設定部５０７により割り付け変更モードが設定される。このようにユーザ操作に応じて割り付け変更モードが設定されると、割り付け編集部５０８からの制御を受けて動作する合成音声生成部５０４’および合成音声送信部５０５’は、音声データ記憶部５１１’に記憶されている複数の音声データに基づいて複数の合成音声を順次生成し、生成した複数の合成音声の音声信号をハンド形子機６’に順次送信する。
【００７２】
ハンド形子機６’の合成音声受信部６０１は、中継器５’から送信された複数の合成音声の音声信号を順次受信する。合成音声出力部６０２は、合成音声受信部６０１により受信された合成音声の音声信号に基づいて、複数の合成音声をスピーカ６ｂから順次出力する。看護師は、スピーカ６ｂから順次出力される合成音声を聞くことにより、音声データ記憶部５１１’に記憶されている複数（図７の例では１６個）の音声データに対応する合成音声の内容を順次確認することができる。
【００７３】
このように複数の合成音声がスピーカ６ｂから順次出力されている状態において、割り付けをしたい合成音声が出力されている間に、看護師が所望の用件ボタン７ａを押下する。この押下を押下検出部７０１が検出すると、呼出信号送信部７０２は、押下された用件ボタン７ａを識別可能なボタン識別情報を含む呼出信号を中継器５’に送信する。この呼出信号を中継器５’の呼出信号中継部５０１’が受信すると、呼出信号中継部５０１’は、受信した呼出信号に含まれるボタン識別情報を割り付け編集部５０８に通知する。
【００７４】
この通知を受けて割り付け編集部５０８は、呼出信号中継部５０１’が用件伝達型子機７から呼出信号を受信したときにスピーカ６ｂから出力されていた合成音声（合成音声送信部５０５’から用件伝達型子機７に送信されていた合成音声）に対応する音声データと、呼出信号中継部５０１’から通知されたボタン識別情報とを関連付けて音声データ記憶部５１１’に記憶させることにより、音声データ記憶部５１１’に記憶させる音声データとボタン識別情報との関連付けを変更する。
【００７５】
なお、複数の合成音声がスピーカ６ｂから順次出力されている状態において、設定スイッチ５ａを短押しすることにより、次の合成音声の再生にスキップするように構成してもよい。
【００７６】
第２の実施形態では、中継器５’は、ユーザ操作に応じて割り付け確認モードも割り付け変更モードも設定されていない通常動作モードの状態において、合成音声送信部５０５’が合成音声をナースコール親機１に送信することによって当該合成音声をナースコール親機１のスピーカ１１１から出力させる一方、合成音声送信部５０５’が合成音声をハンド形子機６’には送信せず、ハンド形子機６’のスピーカ６ｂからは合成音声を出力させないようにする。
【００７７】
また、中継器５’は、ユーザ操作に応じて割り付け確認モードまたは割り付け変更モードの何れかが設定されている状態において、割り付け編集部５０８による制御のもとで合成音声送信部５０５’が合成音声をハンド形子機６’に送信することによって当該合成音声をハンド形子機６’のスピーカ６ｂから出力させる一方、合成音声送信部５０５’が合成音声をナースコール親機１には送信せず、ナースコール親機１のスピーカ１１１からは合成音声を出力させないようにする。
【００７８】
用件伝達型子機７の用件ボタン７ａに対する合成音声の割り付けを変更した場合、それに合わせて用件ボタン７ａに記す文言も変更する。例えば、用件ボタン７ａの透光性を有する樹脂部材を着脱可能に構成し、この樹脂部材を交換することによって文言の変更を行うようにする。この場合は、１６種類の用件に応じて１６個の樹脂材料を用意しておく。別の例として、文言の部分以外が透明なシールを設け、用件ボタン７ａに貼り付けるシールを交換するようにしてもよい。この場合は、１６種類の用件に応じて１６個のシールを用意しておく。図８は、右下の用件ボタン７ａに記されている文言を図２の「用事」から「眠れない」に変更した状態を示している。
【００７９】
このように構成した第２の実施形態によれば、８個の用件ボタン７ａに対して、それより多い数の合成音声の中から所望のものを任意に割り付けて使用することが可能となる。すなわち、用件伝達型子機７を使用する患者に合わせて、その患者にとって使用頻度の高い用件を選んで８個の用件ボタン７ａに割り付けることができる。また、患者にとって使用頻度の高い用件が８個より少ない場合は、１つの用件を複数の用件ボタン７ａに重複して割り付けることも可能である。例えば、最も使用頻度の高い１つの用件を左側４個の用件ボタン７ａに割り付けることも可能であり、そうすることで、患者が必要な用件ボタン７ａを探す手間を減らすことができる。
【００８０】
なお、８個の用件ボタン７ａと１６個の音声データとは一例に過ぎず、このような数の組み合わせに限定されるものではない。例えば、８個より少ない数の用件ボタン７ａを備えて用件伝達型子機７をコンパクトな構成としつつ、１６個より多くの種類の用件に対応する合成音声を用件ボタン７ａに任意に割り付けて使用するようにすることも可能である。また、用件ボタン７ａの数と音声データの数とを同数（例えば８個）とし、用件ボタン７ａに割り付ける合成音声の順番を任意に変えられるような構成としてもよい。
【００８１】
上記第２の実施形態では、割り付け確認モードまたは割り付け変更モードの何れかが設定されている状態において、合成音声をハンド形子機６’のスピーカ６ｂから出力させるようにしているが、本発明はこれに限定されない。例えば、中継器５’にスピーカを設け、中継器５’のスピーカから合成音声を出力するようにしてもよい。ただし、ハンド形子機６’が元々備えているスピーカ６ｂを利用して合成音声を出力するようにすることで、中継器５’の構成を簡略化することができるというメリットを有する。
【００８２】
また、上記第２の実施形態では、設定スイッチ５ａの操作内容に応じて異なるモードを設定するようにしたが、本発明はこれに限定されない。例えば、各モードの設定スイッチを中継器５’に個別に設けるようにしてもよい。ただし、１つの設定スイッチ５ａだけでその操作内容に応じて異なるモードを設定するようにすることにより、中継器５’の構成を簡略化することができるというメリットを有する。
【００８３】
また、上記第２の実施形態において、合成音声の割り付けの変更方法は一例であり、これに限定されるものではない。すなわち、上記第２の実施形態では、音声データ記憶部５１１’に記憶されている１６個の音声データに基づいて１６個の合成音声を順次再生しながら用件ボタン７ａへの割り付けを変更する例を示したが、合成音声の再生を行わない方法で割り付けの変更を行うことができるようにしてもよい。例えば、８個の用件ボタン７ａの他に合成音声選択ボタンを設け、合成音声選択ボタンによって何れかの合成音声を選択した状態で所望の用件ボタン７ａを押下することによって合成音声の割り付けを変更するようにしてもよい。
【００８４】
また、上記第１および第２の実施形態では、用件伝達型子機７と中継器５，５’との間を無線で接続する例を示したが、有線で接続するようにしてもよい。また、上記第１および第２の実施形態では、用件伝達型子機７が内蔵バッテリから電源を得て動作する例について説明したが、用件伝達型子機７を一般電源のコンセントに接続し、用件伝達型子機７がコンセントから電源を得て動作するようにしてもよい。
【００８５】
また、上記第１および第２の実施形態では、用件伝達型子機７の筐体にハードウェアとしての用件ボタン７ａを設ける構成について説明したが、本発明はこれに限定されない。例えば、タッチパネル付きのディスプレイに表示させたソフトウェアのＧＵＩ（グラフィカルユーザインタフェース）により用件ボタン７ａを構成するようにしてもよい。
【００８６】
その他、上記第１および第２の実施形態は、何れも本発明を実施するにあたっての具体化の一例を示したものに過ぎず、これらによって本発明の技術的範囲が限定的に解釈されてはならないものである。すなわち、本発明はその精神、またはその主要な特徴から逸脱することなく、様々な形で実施することができる。
【符号の説明】
【００８７】
１  ナースコール親機
２  制御機
３  廊下灯
４  壁埋込形子機
５，５’  中継器
６，６’  ハンド形子機（第２のナースコール子機）
７  用件伝達型子機（ナースコール子機）
１０２  報知処理部
１０４  通話路形成部
１０５  合成音声受信部
１０６  合成音声出力部
５０１，５０１’  呼出信号中継部
５０４，５０４’  合成音声生成部
５０５，５０５’  合成音声送信部
５０８  割り付け編集部
５１１，５１１’  音声データ記憶部
６０１  合成音声受信部
６０２  合成音声出力部
７０２  呼出信号送信部
７０３  表示制御部  
【図１】
2020178263.tif 000003
【図２】
2020178263.tif 000004
【図３】
2020178263.tif 000005
【図４】
2020178263.tif 000006
【図５】
2020178263.tif 000007
【図６】
2020178263.tif 000008
【図７】
2020178263.tif 000009
【図８】
2020178263.tif 000010